(57)【特許請求の範囲】
【請求項１】
平パウチの底部分に円弧形状シール部を設け、
前記円弧形状シール部の一端と頂部の一端との間に直線形状シール部を設け、
前記円弧形状シール部の他端と前記頂部の他端との間に前記頂部の他端に近接して袋の内側に向かって湾曲する部分とそれに連続する袋の外側に向かって湾曲する部分を有するＳ字形状シール部を設けることで、前記頂部を除いて周囲にシール部を有する平パウチであって、前記頂部に給水口が取り付けられ、前記平パウチを座屈させた際に、前記円弧形状シール部が折れ曲がり略水平面を形成したことを特徴とする自立可能な平パウチ。
【請求項２】
前記円弧形状シール部に吊り下げ用穴を設けた請求項１記載の自立可能な平パウチ。
【請求項３】
前記円弧形状シール部は巾広シール部である請求項１または２に記載の自立可能な平パウチ。
【請求項４】
前記給水口を下向きにして吊り下げたときに、前記Ｓ字形状シール部の前記外側に向かって湾曲する部分とそれに連続する袋の内側に向かって湾曲する部分の何れの点をとっても、給水口に向かって水平レベルで低くなるように形成されている請求項１乃至３記載の自立可能な平パウチ。
【発明の詳細な説明】
【技術分野】
【０００１】
本発明は、積層フィルムの周囲をシールしてなる平パウチであって、該平パウチの底部分を該円弧形状シール部とし、平パウチの上部に給水口を設けたもので、該平パウチを置いた際に、該円弧形状シール部が折れ曲がり略水平面を形成した自立可能な平パウチに関する。
【背景技術】
【０００２】
従来、略四角形状を有するパウチの底部分が、略舟底形状からなる自立可能な底部を有するスタンドパウチが知られている。
【０００３】
このようなスタンドパウチは、該パウチの底部分のフィルムを折り返した状態で形成することにより、パウチの内容物の充填に伴い、前記折り返したフィルムが開放するとともに、パウチの底部分に舟底形状からなる自立面を形成して、パウチを直立した状態で自立させることが可能である。そして、パウチの上部のフィルムを切除することにより、パウチの上部に開口を形成してパウチの初期開封を行うものである。
【０００４】
しかしながら、このようなスタンドパウチは、底部分に、折り返したフィルムを形成する必要があり、スタンドパウチの製造に手間がかかる、高コストを要するといった問題があった。
【０００５】
このため、流動食や点滴液等のパウチを取り扱う医療現場等においては、比較的低コストの平パウチを用いることが多い。
しかしながら、このような注出口付き平パウチは、平パウチの開口へと希釈液や飲料水を注入する際に、平パウチを自立させることができず、平パウチを手で持った状態で作業を行う必要があるため、希釈液等の注入作業が困難である。
【０００６】
本出願人は、このような従来のスタンドパウチ及び注出口付き平パウチの問題点を十分に検討して、特許文献１を提案した。
即ち、特許文献１の発明は、自立可能な平パウチ６０は、該平パウチ６０の底部分５５に複数のコーナーＣ５、Ｃ６、Ｃ７からなるシール部分を形成することにより、前記平パウチ６０を置いた際に、前記複数のコーナーからなる底部分５５が略水平面Ｈを形成して、前記平パウチ６０を自立させることが可能である。よって、通常の平パウチ６０であっても、従来のスタンドパウチ同様に自立させることが可能であり、平パウチ６０を自立させた状態で、両手を用いて種々の作業を行うことが可能な、使用性の高い自立可能な平パウチ６０を提案した（図４、５参照）。
また、前記平パウチ形状が、略Ｌ字形状を有することにより、前記平パウチ６０の自立時の形状が略Ｖ字形状をなり、Ｌ字形状の平パウチ６０の各頂点Ｃ１、Ｃ３、Ｃ４等が、左回転してそれぞれ略上方を向き、例えば、平パウチ６０に開口５１と注出口５９とを形成することにより、開口５１と注出口５９とがそれぞれ上方を向く。これにより、平パウチ６０を自立させた状態で、内容物を充填することが可能であり、注出口５９が床面Ｗに触れることなく、常に清潔な状態で注出口５９を用いることが可能である（図４、５参照）。
【０００７】
また、前記平パウチ６０の、前記注出口５９との対称位置に、前記平パウチ６０を吊下げるための吊下げ孔５８を形成することにより、平パウチ６０を吊下げた際に、注出口５９が下方を向くため、内容物を良好に注出することが可能である。
なお、前記平パウチ６０の吊下げ時において、前記平パウチ６０の形状が略く字形状をなすため、平パウチ６０を吊下げた際に、注出口５９が下方を向き内容物を安定して注出可能である（図６参照）。
【特許文献１】特願２００７−１１３４６４
【発明の開示】
【発明が解決しようとする課題】
【０００８】
本発明は、特許文献１で提案した発明が、平パウチ６０に開口５１と注出口５９とを形成したものであり、給水と液供給が共に給水口一箇所で行なう方法には適用できないという問題があり、本発明の課題は、主に、医療現場等で用いられる平パウチであり、しかも給水口が一箇所である平パウチを自立させることを可能とした、使用性および実用性の高い自立可能な平パウチを提供することを課題とする。
【課題を解決するための手段】
【０００９】
上記課題を解決するため、本発明の構成は、平パウチの底部分に円弧形状シール部を設け、前記円弧形状シール部の一端と頂部の一端との間に直線形状シール部を設け、前記円弧形状シール部の他端と前記頂部の他端との間に前記頂部の他端に近接して袋の内側に向かって湾曲する部分とそれに連続する袋の外側に向かって湾曲する部分を有するＳ字形状シール部を設けることで、前記頂部を除いて周囲にシール部を有する平パウチであって、前記頂部に給水口が取り付けられ、前記平パウチを座屈させた際に、前記円弧形状シール部が折れ曲がり略水平面を形成したことを特徴とする自立可能な平パウチである。
前記円弧形状シール部に吊り下げ用穴を設けると良い。
前記円弧形状シール部は巾広シール部であるとなお良い。
前記給水口を下向きにして吊り下げたときに、前記Ｓ字形状シール部の前記外側に向かって湾曲する部分とそれに連続する袋の内側に向かって湾曲する部分の何れの点をとっても、給水口に向かって水平レベルで低くなるように形成すると良い。
【発明の効果】
【００１０】
本発明の請求項１記載の発明は、平パウチの底部分に円弧形状シール部を設け、前記円弧形状シール部の一端と頂部の一端との間に直線形状シール部を設け、前記円弧形状シール部の他端と前記頂部の他端との間に前記頂部の他端に近接して袋の内側に向かって湾曲する部分とそれに連続する袋の外側に向かって湾曲する部分を有するＳ字形状シール部を設けることで、前記頂部を除いて周囲にシール部を有する平パウチであって、前記頂部に給水口が取り付けられ、前記平パウチを座屈させた際に、前記円弧形状シール部が折れ曲がり略水平面を形成したものであり、通常の平パウチであっても、従来のスタンドパウチ同様に自立させることが可能である。よって、平パウチを自立させた状態で、両手を用いて種々の作業を行うことが可能であり、使用性の高い自立可能な平パウチを提供することが可能である。
【００１１】
また、請求項２記載の発明は、平パウチの円弧形状シール部に吊り下げ用穴を設けると給水口から内容物を円滑に外部に供給できる。
【００１２】
また、請求項３記載の発明は、平パウチの円弧形状シール部を巾広シール部とすると、安定的に平パウチを吊り下げられる。
【００１３】
また、請求項４記載の発明は、給水口を下向きにして吊り下げたときに、Ｓ字形状シール部の外側に向かって湾曲する部分とそれに連続する袋の内側に向かって湾曲する部分の何れの点をとっても、給水口に向かって水平レベルで低くなるように形成されているので、吊り下げ用穴で平パウチを吊り下げた際に、Ｓ字形状の部分で液溜りを発生させないよう構成すると内容物が所定の量を患者等に供給できる。
【発明を実施するための最良の形態】
【００１４】
本発明に係る自立可能な平パウチ２０の一例としては、図１に示すように、頂部を除いて周囲にシール部２４を有する平パウチ２０である。平パウチ２０のシール部は、袋の内側に向かって湾曲する部分と袋の外側に向かって湾曲する部分を有するＳ字形状シール部２４ａと、該Ｓ字形状シール部２４ａの袋の外側に向かって湾曲する部分に連結され弦が上を向いた円弧形状シール部２４ｂと、該円弧形状シール部２４ｂに連結する直線形状シール部２４ｃと、で構成される。そして、S字形状シール部２４ａと直線形状シール部２４ｃの間はストレート切断線２２となっており、該部分にはシール部は設けず、ここには給水口１０が挿入・固定されている。即ち給水口の周囲は図３で図示されているように、別途ヒートシールされている。又、給水口には、ゴム栓が挿入・固定されている。
２６は吊り下げ用穴であり、２８は吊り上げ用穴２６の補強のための円弧形状シール部２４ｂの一部を巾広とした巾広シール部である。Ｔは、平パウチ２０が座屈した場合の想定線である。
【００１５】
平パウチ２０のシール部２４は、Ａ−Ｂ−Ｃ−Ｄ間がＳ字形状シール部２４ａであり、Ｄ−Ｅ間は弦が上を向いた円弧形状シール部２４ｂであり、Ｅ−Ｆ間が直線形状シール部２４ｃである。
先ず、Ｅ−Ｆ間が直線形状になっており、給水口はこの部分でのシール部に補強されるので、起立された状態になる。
【００１６】
Ｄ−Ｅ間は弦が上を向いた円弧状であるので、平パウチ２０が自立した時に、下部のＤ−Ｅ間は弦が上を向いた円弧状の部分が、座屈想定線Ｔの部分で座屈し、図２の水平面Ｈのように平パウチ２０の下部が、楕円状の面になる。
【００１７】
Ａ−Ｂ−Ｃ−Ｄ間のＳ字形状シール部２４ａは、平パウチ２０が自立した時、Ｂの部分付近で屈曲し、給水口１０が斜め上向きになり、給水口１０から注射器等で内容物を注入する時には、注入が容易な方向に給水口１０が向けられる。
【００１８】
図２は、平パウチ２０が自立したときの状態を説明した図面であり、内容物の自重により、座屈想定線Ｔの部分で座屈し、図２の水平面Ｈのように平パウチ２０の下部が、楕円状の面になっている。また、巾広シール部２８及び吊り上げ用穴２６は図示した状態で折れ曲がっている。
【００１９】
図３は、フック３０により、平パウチ２０を吊り上げ用穴２６から、吊り下げた状態を説明した図面であり、給水口１０に内容物を供給するための針型びん針などを刺して、内容物を平パウチ２０から流出させる。針型びん針などは、使用者の体内に予め先端部が挿入された供給チューブの他端に取り付けられている。
【００２０】
このような平パウチ２０を吊り下げた状態の時、Ｂ点がＣ点より水平レベルで高いと、内容物が、Ｃの部分に取り残され、所定の内容物の量を使用者に供給できない。従って平パウチの吊り下げ状態時にＢ点はＣ点より水平レベルで低くなるように設定する。
図３中１４は、オーバーラップシール部であり、前記Ａ点及びＦ点とオーバーラップさせて、シールからリークしないように構成してある。
【００２１】
なお、内容物に薬品等を付加する際に、若しくは内容物を投与し終わった後、飲料水などの液体を投与する際には、平パウチ２０の給水口１０のゴム栓１２より、注射針を使用して、飲料水等の内容物を注入することが可能である。
【００２２】
以上の構成により、前記平パウチ２０を置いた際に、平パウチ２０の底部分５が略水平面Ｈを形成して、該水平面Ｈにより平パウチ２０を自立させることが可能である。よって、平パウチ２０を自立させた状態で、希釈液等の注入作業を、両手を用いて安定かつスムースに行なうことが可能であり、使用性に優れた自立可能な平パウチ２０を提供することが可能である。
【００２３】
本発明の自立可能な平パウチ２０の製造方法としては、基本的には平パウチ形式に応じて、それに対応する製袋機を利用し、それに必要な加工装置を付加することにより容易に製造することができ、既設のヒートシール装置のシールヘッドの形状のみをそれぞれのシールパターンに合わせて変更することにより、複数のコーナー部分Ｃからなるシール部分を簡単に形成することが可能である。
【００２４】
また、本発明の自立可能な平パウチ２０に用いるフィルムとしては、主にプラスチックフィルムを主体とする積層フィルムが用いられ、例えば、液体を含む各種食品用平パウチに用いられている従来公知の積層フィルムを用いることもでき、特にフィルムの種類が限定されるものではない。積層フィルムの構成は、充填される内容物の種類や充填後の加圧加熱殺菌時に加えられる加熱条件などによって適宜選定することができる。
【００２５】
例えば、本発明の自立可能な平パウチ２０に好適に用いられる積層フィルムとして、下記のような構成の積層フィルムが挙げられる。
（１）ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
などが挙げられるが、これらに限定されるものではなく様々な組み合わせの積層フィルムを使用することができる。
【００２６】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００２７】
本発明の自立可能な平パウチは、上記例において、医療用の吊下げ平パウチに点滴液を充填した適用した例を示したが、これに限らず、各種医薬品や栄養剤のみならず粉体と液体との混合物、さらには、粉体と液体とを使用時において平パウチ内で混合して用いてもよく、平パウチの使用用途は、特に限定されるものではない。
【図面の簡単な説明】
【００２８】
【図１】本発明の自立可能な平パウチの一例を示す図である。
【図２】本発明の自立可能な平パウチが座屈した状態を示す説明図である。
【図３】本発明の自立可能な平パウチを吊り上げ用穴に吊り下げた状態の説明図である。
【図４】従来の自立可能な平パウチの一例を示す説明図である。
【図５】図４の自立可能な平パウチが座屈した状態を示す説明図である。
【図６】図４の自立可能な平パウチを吊り上げ用穴に吊り下げた状態の説明図である。
【符号の説明】
【００２９】
１０ 給水口
１２ ゴム栓
２０ 平パウチ
２２ ストレート切断線
２４ シール部
２４ａ  Ｓ字形状シール部
２４ｂ  円弧形状シール部
２４ｃ  直線形状シール部
２６ 吊り下げ穴
２８ 巾広シール部
３０ フック
Ｈ 水平面（自立面）
Ｔ 座屈想定線
Ａ、Ｂ、Ｃ、Ｄ、Ｅ、Ｆは何れも平パウチ内部のシール端部の各点
【図１】
0005298614.tif 000002
【図２】
0005298614.tif 000003
【図３】
0005298614.tif 000004
【図４】
0005298614.tif 000005
【図５】
0005298614.tif 000006
【図６】
0005298614.tif 000007